(57)【要約】      （修正有）【課題】設置環境に関わらず、引戸をスムーズに開閉することができる敷居を提供する。【解決手段】敷居３０は、被覆部４０と、基台部７０を備える。被覆部は、合成樹脂により一体成形される。被覆部には、引戸の下端部が嵌められ且つ引戸が開閉されるスライド方向に延在するスライド溝３１Ａ，３１Ｂが形成される。基台部は、複数の木製の単板を接着剤で貼り合わせて積層した合板により形成される。基台部には装着溝７１Ａ，７１Ｂ、嵌合溝７２，７６が設けられ、単板が積層される積層方向とスライド溝の深さ方向が一致する状態で被覆部が接着されて取り付けられる。被覆部の表面に化粧シート６０を貼り付け、化粧シートは、スライド溝の第一側面３３Ａ，Ｂと、第二側面３４Ａ，Ｂには貼り付けずに、スライド溝の幅方向寸法を調整するための調整部６２Ａ，Ｂを構成してもよい。【選択図】図５
0003192857.tif 000002
【実用新案登録請求の範囲】
【請求項１】
合成樹脂により一体成形され、引戸の下端部が嵌められ且つ前記引戸が開閉されるスライド方向に延在するスライド溝が形成された被覆部と、
複数の木製の単板を接着剤で貼り合わせて積層した合板により形成され、前記単板が積層される積層方向と前記スライド溝の深さ方向が一致する状態で前記被覆部が接着されて取り付けられる基台部と、を備える敷居。
【請求項２】
前記被覆部の表面と裏面とのうち、前記スライド溝が形成された前記被覆部の表面に貼り付けられた化粧シートを備え、
前記化粧シートは、前記スライド溝の底面の上方に設けられ、前記スライド方向と前記深さ方向との各方向に直交する幅方向の第一側となる前記スライド溝の第一側面と、前記幅方向の第二側となる前記スライド溝の第一側面と対向する前記スライド溝の第二側面と、に貼り付けられていない調整部を含む、請求項１に記載の敷居。
【請求項３】
前記調整部は、
前記幅方向の第一側となる前記スライド溝の開口縁部であって前記深さ方向において前記スライド溝の底面と反対側となる前記スライド溝の第一側面の端部の位置から前記幅方向の第二側にはみ出す第一調整部と、
前記幅方向の第二側となる前記スライド溝の開口縁部であって前記深さ方向において前記スライド溝の底面と反対側となる前記スライド溝の第二側面の端部の位置から前記幅方向の第一側にはみ出す第二調整部と、を備え、
前記第一調整部は、前記スライド溝の第一側面を基準とした前記幅方向の寸法が前記深さ方向における前記スライド溝の第一側面の寸法以下に設定され、
前記第二調整部は、前記スライド溝の第二側面を基準とした前記幅方向の寸法が前記深さ方向における前記スライド溝の第二側面の寸法以下に設定される、請求項２に記載の敷居。
【請求項４】
合成樹脂により一体成形され、引戸の下端部が嵌められ且つ前記引戸が開閉されるスライド方向に延在するスライド溝が形成された被覆部と、
前記被覆部が接着されて取り付けられる基台部と、
前記被覆部の表面と裏面とのうち、前記スライド溝が形成された前記被覆部の表面に貼り付けられた化粧シートと、を備え、
前記化粧シートは、前記スライド溝の底面の上方に設けられ、前記スライド方向と前記スライド溝の深さ方向との各方向に直交する幅方向の第一側となる前記スライド溝の第一側面と、前記幅方向の第二側となる前記スライド溝の第一側面と対向する前記スライド溝の第二側面と、に貼り付けられていない調整部を含む、敷居。
【請求項５】
前記調整部は、
前記幅方向の第一側となる前記スライド溝の開口縁部であって前記深さ方向において前記スライド溝の底面と反対側となる前記スライド溝の第一側面の端部の位置から前記幅方向の第二側にはみ出す第一調整部と、
前記幅方向の第二側となる前記スライド溝の開口縁部であって前記深さ方向において前記スライド溝の底面と反対側となる前記スライド溝の第二側面の端部の位置から前記幅方向の第一側にはみ出す第二調整部と、を備え、
前記第一調整部は、前記スライド溝の第一側面を基準とした前記幅方向の寸法が前記深さ方向における前記スライド溝の第一側面の寸法以下に設定され、
前記第二調整部は、前記スライド溝の第二側面を基準とした前記幅方向の寸法が前記深さ方向における前記スライド溝の第二側面の寸法以下に設定される、請求項４に記載の敷居。
【請求項６】
前記被覆部は、
前記被覆部の表面と裏面とのうち、前記基台部と対向する前記被覆部の裏面で前記基台部の側に突出し、前記スライド方向に延在し、前記スライド溝より、前記スライド方向と前記深さ方向との各方向に直交する幅方向の第一側に設けられる第一脚部と、
前記被覆部の裏面で前記基台部の側に突出し、前記スライド方向に延在し、前記スライド溝より前記幅方向の第二側に設けられる第二脚部と、を備え、
前記基台部には、
前記スライド方向に延在し、前記第一脚部が嵌め込まれる第一嵌合溝と、
前記第一嵌合溝と前記幅方向に並んだ状態で前記スライド方向に延在し、前記第二脚部が嵌め込まれる第二嵌合溝と、が形成され、
前記第一脚部は、
前記被覆部が前記基台部に取り付けられた取付状態において、前記幅方向の第二側となる前記第一嵌合溝の第三側面に接する第一内突部と、
前記取付状態において、前記幅方向の第一側となる前記第一嵌合溝の第三側面と対向する前記第一嵌合溝の第四側面に接する第一外突部と、を備え、
前記第二脚部は、
前記取付状態において、前記幅方向の第一側となる前記第二嵌合溝の第五側面に接する第二内突部と、
前記取付状態において、前記幅方向の第二側となる前記第二嵌合溝の第五側面と対向する前記第二嵌合溝の第六側面に接する第二外突部と、を備える、請求項１から請求項５の何れか１項に記載の敷居。
【請求項７】
前記幅方向における前記第一内突部と前記第二内突部との第一間隔は、前記幅方向における前記第一嵌合溝の第三側面と前記第二嵌合溝の第五側面との第二間隔より狭く設定される、請求項６に記載の敷居。
【請求項８】
前記幅方向における前記第一外突部と前記第二外突部との第三間隔は、前記幅方向における前記第一嵌合溝の第四側面と前記第二嵌合溝の第六側面との第四間隔より広く設定される、請求項６又は請求項７に記載の敷居。
【考案の詳細な説明】
【技術分野】
【０００１】
本考案は、引戸を開閉自在に支持する引戸枠の敷居に関する。
【背景技術】
【０００２】
住宅等の建物における部屋間又は部屋と廊下の間の開口に設けられる枠に関する技術が提案されている。例えば、特許文献１には、造作枠材が開示されている。この造作枠材では、合板基材の基面に元化粧膜が被着される。この合板基材は、所望寸法に剪断されて芯材となる。芯材には、化粧膜のない芯材側面に取付溝が形成される。取付溝は、深さ方向が合板をなす複数の単板が積層される方向に直交する方向となる溝である。芯材では、化粧膜のない芯材側面に化粧保護部材が取り付けられる。この取り付けは、取付溝に化粧保護部材の取付片を嵌着することで行われる。化粧保護部材は、押出し成型加工によって形成された長尺状のものである。
【０００３】
特許文献２には、引き戸枠の枠材が開示されている。この枠材は、引き戸枠の上枠や縦枠として使用される。この枠材は、枠材本体の表面に化粧材が貼着されてなる。枠材本体は、引き戸に対向する面である内側面に凹溝が形成されている。この凹溝は、閉鎖状態となる引き戸の端部を収容するために形成されたものである。枠材本体は、木材、合板、ＬＶＬ、集成材、ＭＤＦ等の木質材料によりなる。化粧材は、化粧材基材の表面全体に化粧シートが貼着されてなる。化粧材基材の裏面の所定位置には、複数の折り曲げ溝が形成されている。折り曲げ溝は、化粧材を枠材本体の形状に沿って折り曲げるためのＶ字状の切り欠き部である。化粧材を枠材本体に貼着する際には、化粧材基材の裏面又は枠材本体のちの一方に接着剤が塗布される。枠材本体の各角部と複数の折り曲げ溝を対応させ、枠材本体の内側面の全面及び各側面の一部に亘って化粧材が貼られる。この際、化粧材は、折り曲げ溝で山折り又は谷折りされて各角部に沿わされる。
【先行技術文献】
【特許文献】
【０００４】
【特許文献１】特開平７−７１１６９公報
【特許文献２】特開平１１−２５６９３０号公報
【考案の概要】
【考案が解決しようとする課題】
【０００５】
住宅等の建物において、部屋間又は部屋と廊下の間の開口に引戸装置を設けることがある。引戸装置では、引戸枠に支持された引戸をスライドさせることで、前述した開口を閉鎖状態とし又は開口状態とすることができる。引戸枠を形成する上下左右の各部のうち、下枠としての敷居は、建物の床に設けられる。床に設けられる敷居を、公知の引戸枠の各枠材のように、異なる材質の複数の部材を組み合わせて形成すると、次の点が問題となる。即ち、敷居が設けられる床下からの湿気等の影響により、被覆部が取り付けられる基台部が収縮し又は膨張することがある。基台部に反りが発生することもある。基台部が変形すると、基台部に取り付けられる被覆部も変形し易くなる。被覆部は、敷居が設けられる周囲の温度等によっても変形することがある。被覆部の変形に伴い、被覆部に形成されたスライド溝が変形することがある。引戸の下端部は、前述したスライド溝に嵌められる。引戸の上端部は、上枠としての鴨居に形成されたスライド溝に嵌められる。引戸は、上下の各端部が敷居と鴨居のそれぞれにおけるスライド溝に嵌められた状態で、引戸枠に支持される。従って、敷居を構成する各部の変形は、スムーズな引戸の開閉を阻害する原因となり得る。
【０００６】
本考案は、敷居が設けられる環境に関わらず、引戸をスムーズに開閉することができる敷居を提供することを目的とする。
【課題を解決するための手段】
【０００７】
本考案の一側面は、合成樹脂により一体成形され、引戸の下端部が嵌められ且つ前記引戸が開閉されるスライド方向に延在するスライド溝が形成された被覆部と、複数の木製の単板を接着剤で貼り合わせて積層した合板により形成され、前記単板が積層される積層方向と前記スライド溝の深さ方向が一致する状態で前記被覆部が接着されて取り付けられる基台部と、を備える敷居である。
【０００８】
これによれば、合板により形成される基台部により、基台部の収縮と膨張を抑制することができる。基台部の反りを抑制することができる。変形し難い基台部に合成樹脂製の被覆部を接着して取り付けることで、互いが拘束し合うこととなる。これに伴い、それぞれに生じ得る変形を抑制することができる。敷居の外観形状を所望する形状に維持することができる。
【０００９】
この敷居は、前記被覆部の表面と裏面とのうち、前記スライド溝が形成された前記被覆部の表面に貼り付けられた化粧シートを備え、前記化粧シートは、前記スライド溝の底面の上方に設けられ、前記スライド方向と前記深さ方向との各方向に直交する幅方向の第一側となる前記スライド溝の第一側面と、前記幅方向の第二側となる前記スライド溝の第一側面と対向する前記スライド溝の第二側面と、に貼り付けられていない調整部を含む、ようにしてもよい。これによれば、スライド溝の幅方向における寸法を調整することができる。調整に際し、調整部は、スライド溝内で第一側面と第二側面の少なくとも一方に沿わせて配置される。ところで、スライド溝には、レール部材が嵌め込まれることがある。レール部材は、スライド溝の内面に沿った凹状の部材である。スライド溝の内面は、スライド溝の第一側面と第二側面と底面により形成される。レール部材は、スライド溝の摩耗を抑制し、スライド方向への引戸のスムーズな移動を補助する。幅方向におけるレール部材の寸法が、スライド溝の幅方向の寸法に対して小さい場合、スライド溝内でレール部材にガタが生じる。ガタの発生は、引戸のスムーズな開閉を阻害することがある。スライド溝内に配置された調整部によって、このガタの発生を抑制することができる。
【００１０】
前記調整部は、前記幅方向の第一側となる前記スライド溝の開口縁部であって前記深さ方向において前記スライド溝の底面と反対側となる前記スライド溝の第一側面の端部の位置から前記幅方向の第二側にはみ出す第一調整部と、前記幅方向の第二側となる前記スライド溝の開口縁部であって前記深さ方向において前記スライド溝の底面と反対側となる前記スライド溝の第二側面の端部の位置から前記幅方向の第一側にはみ出す第二調整部と、を備え、前記第一調整部は、前記スライド溝の第一側面を基準とした前記幅方向の寸法が前記深さ方向における前記スライド溝の第一側面の寸法以下に設定され、前記第二調整部は、前記スライド溝の第二側面を基準とした前記幅方向の寸法が前記深さ方向における前記スライド溝の第二側面の寸法以下に設定される、ようにしてもよい。これによれば、第一調整部を第一側面に沿わせて配置することができる。第二調整部を第二側面に沿わせて配置することができる。スライド溝の幅方向における寸法の調整範囲を広くすることができる。スライド溝において、第一側面に沿わされる第一調整部が底面にまで配置されることがない。スライド溝において、第二側面に沿わされる第二調整部が底面にまで配置されることがない。スライド溝内におけるレール部材の浮き上がりを防止することができる。レール部材をスライド溝内に収容することができる。
【００１１】
本考案の他の側面は、合成樹脂により一体成形され、引戸の下端部が嵌められ且つ前記引戸が開閉されるスライド方向に延在するスライド溝が形成された被覆部と、前記被覆部が接着されて取り付けられる基台部と、前記被覆部の表面と裏面とのうち、前記スライド溝が形成された前記被覆部の表面に貼り付けられた化粧シートと、を備え、前記化粧シートは、前記スライド溝の底面の上方に設けられ、前記スライド方向と前記スライド溝の深さ方向との各方向に直交する幅方向の第一側となる前記スライド溝の第一側面と、前記幅方向の第二側となる前記スライド溝の第一側面と対向する前記スライド溝の第二側面と、に貼り付けられていない調整部を含む、敷居である。
【００１２】
これによれば、スライド溝の幅方向における寸法を調整することができる。調整に際し、調整部は、スライド溝内で第一側面と第二側面の少なくとも一方に沿わせて配置される。ところで、スライド溝には、レール部材が嵌め込まれることがある。レール部材については上述した通りである。幅方向におけるレール部材の寸法が、スライド溝の幅方向の寸法に対して小さい場合、スライド溝内でレール部材にガタが生じる。このガタは、例えば、基台部の変形、被覆部の変形、又は、被覆部若しくはレール部材の加工精度に起因して生じる。ガタの発生は、引戸のスムーズな開閉を阻害することがある。スライド溝内に配置された調整部によって、このガタの発生を抑制することができる。基台部に合成樹脂製の被覆部を接着して取り付けることで、互いが拘束し合うこととなる。これに伴い、それぞれに生じ得る変形を抑制することができる。例えば、被覆部と基台部の一方又は両方が変形することとなり、前述のガタが生じたとしても、前述のように対応することができる。
【００１３】
この敷居において、前記調整部は、前記幅方向の第一側となる前記スライド溝の開口縁部であって前記深さ方向において前記スライド溝の底面と反対側となる前記スライド溝の第一側面の端部の位置から前記幅方向の第二側にはみ出す第一調整部と、前記幅方向の第二側となる前記スライド溝の開口縁部であって前記深さ方向において前記スライド溝の底面と反対側となる前記スライド溝の第二側面の端部の位置から前記幅方向の第一側にはみ出す第二調整部と、を備え、前記第一調整部は、前記スライド溝の第一側面を基準とした前記幅方向の寸法が前記深さ方向における前記スライド溝の第一側面の寸法以下に設定され、前記第二調整部は、前記スライド溝の第二側面を基準とした前記幅方向の寸法が前記深さ方向における前記スライド溝の第二側面の寸法以下に設定される、ようにしてもよい。これによれば、第一調整部を第一側面に沿わせて配置することができる。第二調整部を第二側面に沿わせて配置することができる。スライド溝の幅方向における寸法の調整範囲を広くすることができる。スライド溝において、第一側面に沿わされる第一調整部が底面にまで配置されることがない。スライド溝において、第二側面に沿わされる第二調整部が底面にまで配置されることがない。スライド溝内におけるレール部材の浮き上がりを防止することができる。レール部材をスライド溝内に収容することができる。
【００１４】
上述した各敷居において、前記被覆部は、前記被覆部の表面と裏面とのうち、前記基台部と対向する前記被覆部の裏面で前記基台部の側に突出し、前記スライド方向に延在し、前記スライド溝より、前記スライド方向と前記深さ方向との各方向に直交する幅方向の第一側に設けられる第一脚部と、前記被覆部の裏面で前記基台部の側に突出し、前記スライド方向に延在し、前記スライド溝より前記幅方向の第二側に設けられる第二脚部と、を備え、前記基台部には、前記スライド方向に延在し、前記第一脚部が嵌め込まれる第一嵌合溝と、前記第一嵌合溝と前記幅方向に並んだ状態で前記スライド方向に延在し、前記第二脚部が嵌め込まれる第二嵌合溝と、が形成され、前記第一脚部は、前記被覆部が前記基台部に取り付けられた取付状態において、前記幅方向の第二側となる前記第一嵌合溝の第三側面に接する第一内突部と、前記取付状態において、前記幅方向の第一側となる前記第一嵌合溝の第三側面と対向する前記第一嵌合溝の第四側面に接する第一外突部と、を備え、前記第二脚部は、前記取付状態において、前記幅方向の第一側となる前記第二嵌合溝の第五側面に接する第二内突部と、前記取付状態において、前記幅方向の第二側となる前記第二嵌合溝の第五側面と対向する前記第二嵌合溝の第六側面に接する第二外突部と、を備える、ようにしてもよい。これによれば、基台部に対する被覆部の取付強度を高めることができる。被覆部と基台部の拘束の度合を高め、それぞれに生じ得る変形を抑制することができる。接着剤が乾燥する前であっても、第一脚部の第一嵌合溝への嵌め込みと第二脚部の第二嵌合溝への嵌め込みにより、被覆部は基台部に取り付けられた状態となる。そのため、敷居の製造時に接着剤の乾燥を待たずに、所定の工程に移行することができる。リードタイムの短縮と工数の削減を実現することができる。
【００１５】
この敷居では、前記幅方向における前記第一内突部と前記第二内突部との第一間隔は、前記幅方向における前記第一嵌合溝の第三側面と前記第二嵌合溝の第五側面との第二間隔より狭く設定される、ようにしてもよい。これによれば、第一内突部を第三側面に押し付けることができる。第一脚部を幅方向に変形させ第一外突部を第四側面に押し付けることができる。第二内突部を第五側面に押し付けることができる。第二脚部を幅方向に変形させ第二外突部を第六側面に押し付けることができる。基台部に対する被覆部の取付強度を向上させることができる。
【００１６】
前記幅方向における前記第一外突部と前記第二外突部との第三間隔は、前記幅方向における前記第一嵌合溝の第四側面と前記第二嵌合溝の第六側面との第四間隔より広く設定される、ようにしてもよい。これによれば、第一外突部を第四側面に押し付けることができる。第一脚部を幅方向に変形させ第一内突部を第三側面に押し付けることができる。第二外突部を第六側面に押し付けることができる。第二脚部を幅方向に変形させ第二内突部を第五側面に押し付けることができる。基台部に対する被覆部の取付強度を向上させることができる。
【考案の効果】
【００１７】
本考案によれば、敷居が設けられる環境に関わらず、引戸をスムーズに開閉することができる敷居を得ることができる。
【図面の簡単な説明】
【００１８】
【図１】引戸装置の概略構成の一例を示す斜視図である。
【図２】図１のＤ−Ｄ線断面図である。
【図３】敷居の一例を示す斜視図である。
【図４】被覆部に化粧シートを貼り付ける工程を示す図である。上段は、被覆部と化粧シートを示す正面図である。中段は、貼付途中の状態を示す正面図である。下段は、化粧シートが貼り付けられた被覆部を示す正面図である。
【図５】被覆部を基台部に取り付ける工程を示す図である。上段は、第一調整部と第二調整部が形成された被覆部と基台部を示す正面図である。下段は、図３の敷居の正面図である。
【図６】図３の敷居にレール部材を嵌め込む工程を示す図である。上段は、敷居とレール部材を示す斜視図である。下段は、レール部材が嵌め込まれた敷居を示す正面図である。
【図７】被覆部の他の例を示す正面図である。
【図８】被覆部の更に他の例を示す正面図である。
【考案を実施するための形態】
【００１９】
本考案を実施するための実施形態について、図面を用いて説明する。本考案は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２０】
＜引戸装置＞
引戸装置１０について、図１及び図２を参照して説明する。引戸装置１０は、建物の壁面に形成された開口に設けられる。この開口は、例えば、部屋間、又は部屋と廊下の間を仕切る壁面に形成される。引戸装置１０は、２枚の引戸１１Ａ，１１Ｂと、引戸枠２０を備える。引戸装置１０によれば、引戸１１Ａ，１１Ｂの開閉により、開口を開放状態及び閉鎖状態とすることができる。引戸１１Ａ，１１Ｂが開閉される方向を「スライド方向」という。スライド方向は、引戸１１Ａ，１１Ｂの正面に立ってこの引戸１１Ａ，１１Ｂを開閉する利用者を基準とした場合、利用者の左右方向に対応する。引戸１１Ａ，１１Ｂは、公知の引戸装置が備える引戸と同様である。そのため、引戸１１Ａ，１１Ｂの構成に関する説明は省略する。
【００２１】
引戸枠２０は、矩形の開口に沿った４角形状の枠である。引戸枠２０は、左縦枠２１と、右縦枠２２と、鴨居２３と、敷居３０を備える。引戸枠２０において、左縦枠２１と右縦枠２２には、公知の引戸枠で採用された左右の各縦枠を採用することができる。そのため、左縦枠２１と右縦枠２２の各構成に関する説明は省略する。鴨居２３は、引戸枠２０において上枠を形成する。鴨居２３は、引戸１１Ａ，１１Ｂの上側に設けられる。鴨居２３には、引戸１１Ａ，１１Ｂに対応させて２本のスライド溝２４Ａ，２４Ｂが形成される。スライド溝２４Ａ，２４Ｂは、スライド方向に延在する互いに平行な同一形状の溝である。引戸枠２０において、鴨居２３には、公知の引戸枠で採用された鴨居を採用することができる。そのため、鴨居２３の構成に関するこの他の説明は省略する。
【００２２】
敷居３０は、引戸枠２０において下枠を形成する。敷居３０は、引戸１１Ａ，１１Ｂの下側に設けられる。敷居３０は、その一部が床面Ｆより下側に埋設された状態で設けられる（図１及び図２参照）。敷居３０は、公知の敷居と同様、建物のバリアフリーを考慮し、床面Ｆより上側となる部分の高さが低く、床面Ｆとの段差が滑らかになる形状にするとよい。即ち、敷居３０は、幅方向の両側部分が床面Ｆの側に傾斜した傾斜面にするとよい。但し、実施形態では、この点に関する敷居３０の図示は簡略化され、前述したような傾斜面は不図示とされている。敷居３０には、引戸１１Ａ，１１Ｂに対応させて２本のスライド溝３１Ａ，３１Ｂが形成される。スライド溝３１Ａ，３１Ｂは、スライド方向に延在する互いに平行な同一形状の溝である（図１参照）。スライド溝３１Ａには、レール部材８０Ａが嵌め込まれる（図２参照）。スライド溝３１Ｂには、レール部材８０Ｂが嵌め込まれる（図２参照）。
【００２３】
レール部材８０Ａは、スライド溝３１Ａの内面３２Ａに沿った凹状の部材である。スライド溝３１Ａの内面３２Ａは、スライド溝３１Ａの第一側面３３Ａと第二側面３４Ａと底面３５Ａにより形成される。第一側面３３Ａは、スライド溝３１Ａにおいて対向する２個の側面のうち、幅方向の第一側となる側面である。第二側面３４Ａは、スライド溝３１Ａにおいて対向する２個の側面のうち、幅方向の第二側となる側面である。レール部材８０Ｂは、スライド溝３１Ｂの内面３２Ｂに沿った凹状の部材である。スライド溝３１Ｂの内面３２Ｂは、スライド溝３１Ｂの第一側面３３Ｂと第二側面３４Ｂと底面３５Ｂにより形成される。第一側面３３Ｂは、スライド溝３１Ｂにおいて対向する２個の側面のうち、幅方向の第一側となる側面である。第二側面３４Ｂは、スライド溝３１Ｂにおいて対向する２個の側面のうち、幅方向の第二側となる側面である。幅方向は、スライド方向とスライド溝３１Ａ，３１Ｂの深さ方向の各方向に直交する方向である（図１等参照）。実施形態では、スライド溝３１Ａ，３１Ｂの深さ方向は、単に「深さ方向」という。引戸装置１０が建物に設けられた状態（図１参照）を基準とすると、深さ方向は鉛直方向に一致する。
【００２４】
レール部材８０Ａ，８０Ｂは、アルミニウム等の金属により形成される。スライド溝３１Ａ，３１Ｂは、上述した通り、同一形状の溝である。従って、レール部材８０Ａ，８０Ｂは、同一形状のレール部材である。敷居３０の構成等に関するこの他の説明は後述する。
【００２５】
引戸装置１０において、引戸１１Ａ，１１Ｂは、引戸枠２０に開閉自在に支持される。即ち、引戸１１Ａの上端部１２は、鴨居２３のスライド溝２４Ａに嵌められる（図２参照）。引戸１１Ａの下端部１３は、レール部材８０Ａが嵌め込まれた敷居３０のスライド溝３１Ａに嵌められる（図２参照）。この状態において、引戸１１Ａは、開閉に際し、スライド方向に移動される。引戸１１Ｂの上端部１２は、鴨居２３のスライド溝２４Ｂに嵌められる（図２参照）。引戸１１Ｂの下端部１３は、レール部材８０Ｂが嵌め込まれた敷居３０のスライド溝３１Ｂに嵌められる（図２参照）。この状態において、引戸１１Ｂは、開閉に際し、スライド方向に移動される。引戸枠２０において、スライド溝３１Ａは鴨居２３のスライド溝２４Ａと向かい合って設けられ、スライド溝３１Ｂは鴨居２３のスライド溝２４Ｂと向かい合って設けられる。
【００２６】
＜敷居＞
敷居３０について、図３〜図６を参照して説明する。敷居３０は、図３に示すように、被覆部４０と、化粧シート６０と、基台部７０を備える。敷居３０は、これら各部材を組み立てる等して形成される（図４〜図６参照）。被覆部４０は、合成樹脂の押出成形により一体成形される。被覆部４０を形成する合成樹脂としては、例えば、ＡＢＳ樹脂が挙げられる。被覆部４０には、上述した、スライド溝３１Ａ，３１Ｂが形成される。被覆部４０は、第一脚部４１と、第二脚部４５を備える。
【００２７】
第一脚部４１は、領域Ｒ１で被覆部４０の裏面に設けられる。領域Ｒ１は、スライド溝３１Ａの第一側面３３Ａより幅方向の第一側となる被覆部４０の部分である（図４上段参照）。即ち、第一脚部４１は、スライド溝３１Ａより幅方向の第一側となる被覆部４０の裏面に設けられる。第一脚部４１は、基台部７０の側に突出する。第一脚部４１は、スライド方向に延在する。第一脚部４１には、第一内突部４２と第一外突部４３が形成される。第一内突部４２は、第一外突部４３より第一脚部４１の先端側に形成される。換言すれば、第一外突部４３は、第一内突部４２より第一脚部４１の後端側に形成される。第一脚部４１の先端側は、深さ方向の下側に対応する（図４参照）。第一脚部４１の後端側は、深さ方向の上側に対応する（図４参照）。
【００２８】
第二脚部４５は、領域Ｒ２で被覆部４０の裏面に設けられる。領域Ｒ２は、スライド溝３１Ｂの第二側面３４Ｂより幅方向の第二側となる被覆部４０の部分である（図４上段参照）。即ち、第二脚部４５は、スライド溝３１Ｂより幅方向の第二側となる被覆部４０の裏面に設けられる。第二脚部４５は、基台部７０の側に突出する。第二脚部４５は、第一脚部４１と平行な状態でスライド方向に延在する。第二脚部４５には、第二内突部４６と第二外突部４７が形成される。第二内突部４６は、第二外突部４７より第二脚部４５の先端側に形成される。換言すれば、第二外突部４７は、第二内突部４６より第二脚部４５の後端側に形成される。第二脚部４５の先端側は、深さ方向の下側に対応する（図４参照）。第二脚部４５の後端側は、深さ方向の上側に対応する（図４参照）。第一脚部４１と第二脚部４５は、幅方向の中心位置を通る中心線Ｃを基準として線対称の形状とされる（図４参照）。
【００２９】
実施形態では、幅方向において、スライド溝３１Ａの第二側面３４Ａと、スライド溝３１Ｂの第一側面３３Ｂの間の領域を「領域Ｒ３」という。幅方向において、領域Ｒ１と領域Ｒ３の間の領域を「領域Ｒ４」といい、領域Ｒ２と領域Ｒ３の領域を「領域Ｒ５」という。領域Ｒ４は、スライド溝３１Ａの底面３５Ａに対応する部分である。領域Ｒ５は、スライド溝３１Ａの底面３５Ｂに対応する部分である。
【００３０】
化粧シート６０は、表面に所定の模様が印刷されたシートである（図１、図３及び図６参照）。模様としては、例えば、木目模様が挙げられる。印刷される模様は、例えば、床面Ｆの模様を考慮して適宜決定される。図１で床面Ｆに付した模様は、床面Ｆの模様を示す。図１、図３及び図６で敷居３０の表面に付した模様は、化粧シート６０に印刷された模様を示す。化粧シート６０の裏面には、接着剤が塗布され接着層が形成される。化粧シート６０は、被覆部４０の表面に貼り付けられる。化粧シート６０が貼り付けられた被覆部４０は、化粧シート６０の表面の模様によって装飾された状態となる。被覆部４０の領域Ｒ１において、化粧シート６０は、被覆部４０の表面から、被覆部４０の側面と、被覆部４０の裏面のうちの基台部７０に接しない部分にまで貼り付けられる（図４中段及び下段参照）。被覆部４０の領域Ｒ２において、化粧シート６０は、被覆部４０の表面から、被覆部４０の側面と、被覆部４０の裏面のうちの基台部７０に接しない部分にまで貼り付けられる（図４中段及び下段参照）。
【００３１】
即ち、化粧シート６０は、幅方向の第一側となる前述した被覆部４０の裏面の部分から、被覆部４０の表面全体を覆い、幅方向の第二側となる前述した被覆部４０の裏面部分に亘って貼り付けられる。このとき、化粧シート６０は、スライド溝３１Ａの内面３２Ａとスライド溝３１Ｂの内面３２Ｂには貼り付けられない。シート部分６１Ａは、スライド溝３１Ａを幅方向に横断した状態で底面３５Ａの上方に設けられる（図４下段参照）。シート部分６１Ｂは、スライド溝３１Ｂを幅方向に横断した状態で底面３５Ｂの上方に設けられる（図４下段参照）。シート部分６１Ａは、被覆部４０の表面に貼り付けられた化粧シート６０のうち、被覆部４０の領域Ｒ４に対応する部分である。シート部分６１Ｂは、被覆部４０の表面に貼り付けられた化粧シート６０のうち、被覆部４０の領域Ｒ５に対応する部分である。
【００３２】
シート部分６１Ａは、調整部を形成する。シート部分６１Ａによる調整部は、スライド溝３１Ａ内に配置されて、スライド溝３１Ａの幅方向における寸法を調整する。シート部分６１Ａは、例えば、幅方向におけるスライド溝３１Ａの中心位置で、スライド方向に切断される（図３及び図５上段参照）。切断されたシート部分６１Ａは、第一調整部６２Ａと、第二調整部６３Ａを形成する。第一調整部６２Ａは、スライド溝３１Ａの第一側面３３Ａの端部の位置から幅方向の第二側にはみ出す。前述したスライド溝３１Ａの第一側面３３Ａの端部は、幅方向の第一側となるスライド溝３１Ａの開口縁部であって深さ方向においてスライド溝３１Ａの底面３５Ａと反対側となる部分である。第二調整部６３Ａは、スライド溝３１Ａの第二側面３４Ａの端部の位置から幅方向の第一側にはみ出す。前述したスライド溝３１Ａの第二側面３４Ａの端部は、幅方向の第二側となるスライド溝３１Ａの開口縁部であって深さ方向においてスライド溝３１Ａの底面３５Ａと反対側となる部分である。
【００３３】
第一調整部６２Ａは、寸法Ｌ１がスライド溝３１Ａの第一側面３３Ａの寸法Ｌ５より短く設定される（Ｌ１＜Ｌ５）。第一調整部６２Ａの寸法Ｌ１は、スライド溝３１Ａの第一側面３３Ａを基準とした幅方向の寸法である。第二調整部６３Ａは、寸法Ｌ２がスライド溝３１Ａの第二側面３４Ａの寸法Ｌ６より短く設定される（Ｌ２＜Ｌ６）。第二調整部６３Ａの寸法Ｌ２は、スライド溝３１Ａの第二側面３４Ａを基準とした幅方向の寸法である。シート部分６１Ａを幅方向におけるスライド溝３１Ａの中心位置で切断した場合、第一調整部６２Ａの寸法Ｌ１と第二調整部６３Ａの寸法Ｌ２は同一となる（Ｌ１＝Ｌ２）。第一側面３３Ａの寸法Ｌ５と第二側面３４Ａの寸法Ｌ６は、スライド溝３１Ａの深さ寸法である。第一側面３３Ａの寸法Ｌ５と第二側面３４Ａの寸法Ｌ６は、例えば、同一寸法である（Ｌ５＝Ｌ６）。
【００３４】
シート部分６１Ｂは、調整部を形成する。シート部分６１Ｂによる調整部は、スライド溝３１Ｂ内に配置されて、スライド溝３１Ｂの幅方向における寸法を調整する。シート部分６１Ｂは、例えば、幅方向におけるスライド溝３１Ｂの中心位置で、スライド方向に切断される（図３及び図５上段参照）。切断されたシート部分６１Ｂは、第一調整部６２Ｂと、第二調整部６３Ｂを形成する。第一調整部６２Ｂは、スライド溝３１Ｂの第一側面３３Ｂの端部の位置から幅方向の第二側にはみ出す。前述したスライド溝３１Ｂの第一側面３３Ｂの端部は、幅方向の第一側となるスライド溝３１Ｂの開口縁部であって深さ方向においてスライド溝３１Ｂの底面３５Ｂと反対側となる部分である。第二調整部６３Ｂは、スライド溝３１Ｂの第二側面３４Ｂの端部の位置から幅方向の第一側にはみ出す。前述したスライド溝３１Ｂの第二側面３４Ｂの端部は、幅方向の第二側となるスライド溝３１Ｂの開口縁部であって深さ方向においてスライド溝３１Ｂの底面３５Ｂと反対側となる部分である。
【００３５】
第一調整部６２Ｂは、寸法Ｌ３がスライド溝３１Ｂの第一側面３３Ｂの寸法Ｌ５より短く設定される（Ｌ３＜Ｌ５）。第一調整部６２Ｂの寸法Ｌ３は、スライド溝３１Ｂの第一側面３３Ｂを基準とした幅方向の寸法である。第二調整部６３Ｂは、寸法Ｌ４がスライド溝３１Ｂの第二側面３４Ｂの寸法Ｌ６より短く設定される（Ｌ４＜Ｌ６）。第二調整部６３Ｂの寸法Ｌ４は、スライド溝３１Ｂの第二側面３４Ｂを基準とした幅方向の寸法である。シート部分６１Ｂを幅方向におけるスライド溝３１Ｂの中心位置で切断した場合、第一調整部６２Ｂの寸法Ｌ３と第二調整部６３Ｂの寸法Ｌ４は同一となる（Ｌ３＝Ｌ４）。第一調整部６２Ｂの寸法Ｌ３と第二調整部６３Ｂの寸法Ｌ４は、第一調整部６２Ａの寸法Ｌ１と第二調整部６３Ａの寸法Ｌ２と同一寸法とされる（Ｌ３，Ｌ４＝Ｌ１，Ｌ２）。第一側面３３Ｂの寸法Ｌ５と第二側面３４Ｂの寸法Ｌ６は、スライド溝３１Ａと同一形状であるスライド溝３１Ｂの深さ寸法である。第一側面３３Ｂの寸法Ｌ５と第二側面３４Ｂの寸法Ｌ６は、スライド溝３１Ａの場合と同じく同一寸法である（Ｌ５＝Ｌ６）。
【００３６】
基台部７０は、合板により形成される。合板は、複数の木製の単板を接着剤で貼り合わせて積層した木製の板である。基台部７０には、２本の装着溝７１Ａ，７１Ｂと第一嵌合溝７２と第二嵌合溝７６が形成される（図５上段参照）。装着溝７１Ａ，７１Ｂと第一嵌合溝７２と第二嵌合溝７６は、深さ方向が合板の積層方向に一致する状態で形成される。装着溝７１Ａ，７１Ｂは、スライド方向に延在する互いに平行な同一形状の溝である。幅方向において、装着溝７１Ａ，７１Ｂの中心間距離は、スライド溝３１Ａ，３１Ｂの中心間距離と同一とされる。装着溝７１Ａにはスライド溝３１Ａが嵌め込まれ、装着溝７１Ｂには、スライド溝３１Ｂが嵌め込まれる（図５参照）。
【００３７】
第一嵌合溝７２と第二嵌合溝７６は、スライド方向に延在する互いに平行な同一形状の溝である。第一嵌合溝７２は、装着溝７１Ａより幅方向の第一側に形成される。第二嵌合溝７６は、装着溝７１Ｂより幅方向の第二側に形成される。第一嵌合溝７２には、第一脚部４１が嵌め込まれる。取付状態において、第一脚部４１の第一内突部４２は第一嵌合溝７２の第三側面７３に接し、第一脚部４１の第一外突部４３は第一嵌合溝７２の第四側面７４に接する。取付状態は、被覆部４０が基台部７０に取り付けられた状態である（図３及び図５下段参照）。第二嵌合溝７６には、第二脚部４５が嵌め込まれる。取付状態において、第二嵌合溝７６の第二内突部４６は第二嵌合溝７６の第五側面７７に接し、第二嵌合溝７６の第二外突部４７は第二嵌合溝７６の第六側面７８に接する。
【００３８】
第三側面７３は、第一嵌合溝７２において対向する２個の側面のうち、幅方向の第二側となる側面である。第四側面７４は、第一嵌合溝７２において対向する２個の側面のうち、幅方向の第一側となる側面である。第五側面７７は、第二嵌合溝７６において対向する２個の側面のうち、幅方向の第一側となる側面である。第六側面７８は、第二嵌合溝７６において対向する２個の側面のうち、幅方向の第二側となる側面である。第一脚部４１を第一嵌合溝７２に嵌め込み、第二脚部４５を第二嵌合溝７６に嵌め込むに際し、被覆部４０と基台部７０の一方又は両方には、接着剤が塗布される。接着剤が塗布される領域は、取付状態において接することとなる領域である。
【００３９】
敷居３０では、第一間隔Ｗ１は第二間隔Ｗ２より狭く設定され、第三間隔Ｗ３は第四間隔Ｗ４より広く設定される。第一間隔Ｗ１は、幅方向における第一内突部４２と第二内突部４６の間隔である（図５上段参照）。第二間隔Ｗ２は、幅方向における第三側面７３と第五側面７７との間隔である（図５上段参照）。第三間隔Ｗ３は、幅方向における第一外突部４３と第二外突部４７の間隔である（図５上段参照）。第四間隔Ｗ４は、幅方向における第四側面７４と第六側面７８との間隔である（図５上段参照）。図５上段では、図示が簡略化され、第一脚部４１と第二脚部４５と第一嵌合溝７２と第二嵌合溝７６は、第一間隔Ｗ１と第二間隔Ｗ２が等しく且つ第三間隔Ｗ３と第四間隔Ｗ４が等しい状態で図示されている。
【００４０】
上述した通り、敷居３０では、レール部材８０Ａがスライド溝３１Ａに嵌め込まれる（図６参照）。このとき、幅方向におけるスライド溝３１Ａの寸法と幅方向におけるレール部材８０Ａの寸法の一方又は両方に起因して、両者の間にガタが生じることがある。このような場合、第一調整部６２Ａと第二調整部６３Ａの一方又は両方により、前述したガタを調整することができる。例えば、レール部材８０Ａをスライド溝３１Ａに嵌め込む際、第一調整部６２Ａは、第一側面３３Ａに沿わせてスライド溝３１Ａ内に折り曲げられる（図６下段参照）。第二調整部６３Ａは、第二側面３４Ａに沿わせてスライド溝３１Ａ内に折り曲げられる（図６下段参照）。スライド溝３１Ａとレール部材８０Ａの間に生じるガタが小さい場合、第一調整部６２Ａと第二調整部６３Ａの一方が、レール部材８０Ａのスライド溝３１Ａへの嵌め込みに合わせて、スライド溝３１Ａ内に折り曲げられる。第一調整部６２Ａと第二調整部６３Ａのうち、ガタの調整に使用されない調整部は、所定の工具により切り取られる。例えば、作業者は、カッタを用いて、使用されない調整部をスライド溝３１Ａの開口縁部に沿って切り取る。ガタの調整が不要であった場合、第一調整部６２Ａと第二調整部６３Ａが共に切り取られる。
【００４１】
敷居３０では、レール部材８０Ｂがスライド溝３１Ｂに嵌め込まれる（図６参照）。このとき、幅方向におけるスライド溝３１Ｂの寸法と幅方向におけるレール部材８０Ｂの寸法の一方又は両方に起因して、両者の間にガタが生じることがある。このような場合、第一調整部６２Ｂと第二調整部６３Ｂの一方又は両方により、前述したガタを調整することができる。この調整作業は、上述したレール部材８０Ａのスライド溝３１Ａへの嵌め込みと同様に行われる。例えば、レール部材８０Ｂをスライド溝３１Ｂに嵌め込む際、第一調整部６２Ｂは、第一側面３３Ｂに沿わせてスライド溝３１Ｂ内に折り曲げられる（図６下段参照）。第二調整部６３Ｂは、第二側面３４Ｂに沿わせてスライド溝３１Ｂ内に折り曲げられる（図６下段参照）。スライド溝３１Ｂとレール部材８０Ｂの間に生じるガタが小さい場合、第一調整部６２Ｂと第二調整部６３Ｂの一方が、レール部材８０Ｂのスライド溝３１Ｂへの嵌め込みに合わせて、スライド溝３１Ｂ内に折り曲げられる。第一調整部６２Ｂと第二調整部６３Ｂのうち、ガタの調整に使用されない調整部は、所定の工具により切り取られる。例えば、作業者は、カッタを用いて、使用されない調整部をスライド溝３１Ｂの開口縁部に沿って切り取る。ガタの調整が不要であった場合、第一調整部６２Ｂと第二調整部６３Ｂが共に切り取られる。
【００４２】
図６下段は、次のような状態を示した図である。即ち、スライド溝３１Ａとレール部材８０Ａの間に生じたガタが、第一調整部６２Ａと第二調整部６３Ａによって調整されている。スライド溝３１Ｂとレール部材８０Ｂの間に生じたガタが、第一調整部６２Ｂと第二調整部６３Ｂによって調整されている。
【００４３】
＜実施形態の効果＞
実施形態によれば、次のような効果を得ることができる。
【００４４】
（１）基台部７０を合板により形成することとした（図３及び図５下段参照）。そのため、基台部７０の収縮と膨張を抑制することができる。基台部７０の反りを抑制することができる。被覆部４０を基台部７０に接着して取り付けることで、互いが拘束し合うこととなる。これに伴い、それぞれに生じ得る変形を抑制することができる。敷居３０の外観形状を所望する形状に維持することができる。引戸装置１０において、引戸１１Ａ，１１Ｂをスムーズに開閉することができる。
【００４５】
（２）被覆部４０に第一脚部４１と第二脚部４５を設けることとした（図４上段参照）。第一脚部４１には、第一内突部４２と第一外突部４３が設けられる。第二脚部４５には、第二内突部４６と第二外突部４７が設けられる。基台部７０に第一嵌合溝７２と第二嵌合溝７６を形成することとした。（図５上段参照）。基台部７０に対する被覆部４０の取り付けは、接着剤による接着に加え、第一脚部４１を第一嵌合溝７２に嵌め込み、第二脚部４５を第二嵌合溝７６に嵌め込み行われる（図５下段参照）。敷居３０では、第一間隔Ｗ１を第二間隔Ｗ２より狭く設定し、第三間隔Ｗ３を第四間隔Ｗ４より広く設定することとした（図５上段参照）。
【００４６】
そのため、基台部７０に対する被覆部４０の取付強度を高めることができる。被覆部４０と基台部７０の拘束の度合を高め、それぞれに生じ得る変形を抑制することができる。第一内突部４２を第三側面７３に押し付けることができる。第一外突部４３を第四側面７４に押し付けることができる。第二内突部４６を第五側面７７に押し付けることができる。第二外突部４７を第六側面７８に押し付けることができる。第一脚部４１と第二脚部４５のそれぞれを幅方向から拘束することができる。接着剤が乾燥する前であっても、第一脚部４１の第一嵌合溝７２への嵌め込みと第二脚部４５の第二嵌合溝７６への嵌め込みにより、被覆部４０は基台部７０に取り付けられた状態となる。そのため、敷居３０の製造時に接着剤の乾燥を待たずに、所定の工程に移行することができる。リードタイムの短縮と工数の削減を実現することができる。
【００４７】
（３）スライド溝３１Ａに対して第一調整部６２Ａと第二調整部６３Ａを設けることとした（図５参照）。そのため、スライド溝３１Ａにおいて、第一調整部６２Ａを第一側面３３Ａに沿わせて配置し、第二調整部６３Ａを第二側面３４Ａに沿わせて配置することができる（図６下段参照）。レール部材８０Ａの嵌め込みに際し、スライド溝３１Ａの幅方向における寸法を調整することができる。２枚の第一調整部６２Ａと第二調整部６３Ａにより、調整範囲を広くすることができる。幅方向におけるレール部材８０Ａの寸法が、スライド溝３１Ａの幅方向の寸法に対して小さい場合、スライド溝３１Ａ内でレール部材８０Ａにガタが生じる。ガタの発生は、引戸１１Ａのスムーズな開閉を阻害することがある。スライド溝３１Ａ内に配置された第一調整部６２Ａと第二調整部６３Ａの一方又は両方によって、このガタの発生を抑制することができる。第一側面３３Ａに沿わされる第一調整部６２Ａが底面３５Ａにまで配置されることがない。第二側面３４Ａに沿わされる第二調整部６３Ａが底面３５Ａにまで配置されることがない。スライド溝３１Ａ内におけるレール部材８０Ａの浮き上がりを防止することができる。レール部材８０Ａをスライド溝３１Ａ内に収容することができる。
【００４８】
スライド溝３１Ｂに対して第一調整部６２Ｂと第二調整部６３Ｂを設けることとした（図５参照）。そのため、スライド溝３１Ｂにおいて、第一調整部６２Ｂを第一側面３３Ｂに沿わせて配置し、第二調整部６３Ｂを第二側面３４Ｂに沿わせて配置することができる（図６下段参照）。レール部材８０Ｂの嵌め込みに際し、スライド溝３１Ｂの幅方向における寸法を調整することができる。２枚の第一調整部６２Ｂと第二調整部６３Ｂにより、調整範囲を広くすることができる。幅方向におけるレール部材８０Ｂの寸法が、スライド溝３１Ｂの幅方向の寸法に対して小さい場合、スライド溝３１Ｂ内でレール部材８０Ｂにガタが生じる。ガタの発生は、引戸１１Ｂのスムーズな開閉を阻害することがある。スライド溝３１Ｂ内に配置された第一調整部６２Ｂと第二調整部６３Ｂの一方又は両方によって、このガタの発生を抑制することができる。第一側面３３Ｂに沿わされる第一調整部６２Ｂが底面３５Ｂにまで配置されることがない。第二側面３４Ｂに沿わされる第二調整部６３Ｂが底面３５Ｂにまで配置されることがない。スライド溝３１Ｂ内におけるレール部材８０Ｂの浮き上がりを防止することができる。レール部材８０Ｂをスライド溝３１Ｂ内に収容することができる。レール部材８０Ａ，８０Ｂにより、スライド溝３１Ａ，３１Ｂの摩耗が抑制され、スライド方向への引戸１１Ａ，１１Ｂのスムーズな移動が補助される。
【００４９】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００５０】
（１）上記では、２枚の引戸１１Ａ，１１Ｂを備える引戸装置１０を例に説明した（図１及び図２参照）。引戸装置における引戸の枚数は、１枚又は３枚以上であってもよい。鴨居と敷居では、引戸の枚数に一致する数のスライド溝がそれぞれ形成される。敷居における１本又は３本以上のスライド溝は、上記同様の構成とされる。各スライド溝の開口縁部には、上記同様、調整部が設けられる。基台部には、スライド溝に対応させて装着溝が形成される。このような敷居において、第一嵌合溝７２と第二嵌合溝７６にそれぞれ対応する嵌合溝は、例えば、上記同様、幅方向において複数の装着溝を挟む状態で、２本基台部に形成される。但し、基台部における嵌合溝の本数及び／又は配置は、上記とは異なる状態としてもよい。嵌合溝の本数及び／又は配置は、諸条件を考慮して適宜設定される。
【００５１】
（２）上記では、シート部分６１Ａからの第一調整部６２Ａと第二調整部６３Ａの形成と、シート部分６１Ｂからの第一調整部６２Ｂと第二調整部６３Ｂの形成を、次のタイミングで行うこととした。即ち、被覆部４０を基台部７０に取り付ける前のタイミングで、シート部分６１Ａ，６１Ｂをそれぞれ切断することとした（図５上段参照）。シート部分６１Ａ，６１Ｂの切断は、これとは異なるタイミングで行うようにしてもよい。例えば、シート部分６１Ａ，６１Ｂの切断は、敷居３０を建物に建て付けるタイミングで行われるようにしてもよい。この場合、レール部材８０Ａ，８０Ｂも、このタイミングでスライド溝３１Ａ，３１Ｂにそれぞれ嵌め込まれる。
【００５２】
シート部分６１Ａ，６１Ｂをそれぞれ切断する位置は、幅方向におけるスライド溝３１Ａ，３１Ｂの各中心位置とは異なる位置としてもよい。例えば、スライド溝３１Ａ，３１Ｂの開口縁部のうち、幅方向の第一側又は第二側の開口縁部で切断するようにしてもよい。この場合、シート部分６１Ａ，６１Ｂのそれぞれから形成される調整部は各１枚となる。シート部分６１Ａ，６１Ｂのそれぞれから形成される調整部の寸法が、スライド溝３１Ａ，３１Ｂの各底面３５Ａ，３５Ｂにまで配置される長さとなることもある。この場合、調整部を再切断し、その寸法を調整するようにしてもよい。
【００５３】
（３）上記では、第一間隔Ｗ１を第二間隔Ｗ２より狭くし、第三間隔Ｗ３を第四間隔Ｗ４より広くした敷居３０を例に説明した（図５上段参照）。第一間隔Ｗ１を第二間隔Ｗ２より狭くし、第三間隔Ｗ３を第四間隔Ｗ４以下とした敷居としてもよい。第三間隔Ｗ３は、取付状態では、第一間隔Ｗ１が第二間隔Ｗ２より狭いことに起因して、第一脚部４１と第二脚部４５を第一嵌合溝７２と第二嵌合溝７６にそれぞれ嵌め込む前の寸法から広がる。第三間隔Ｗ３又は第四間隔Ｗ４は、取付状態において、第一外突部４３が第四側面７４に接し、第二外突部４７が第六側面７８に接する寸法に設定される。
【００５４】
第三間隔Ｗ３を第四間隔Ｗ４より広くし、第一間隔Ｗ１を第二間隔Ｗ２以上とした敷居としてもよい。第一間隔Ｗ１は、取付状態では、第三間隔Ｗ３が第四間隔Ｗ４より広いことに起因して、第一脚部４１と第二脚部４５を第一嵌合溝７２と第二嵌合溝７６にそれぞれ嵌め込む前の寸法から狭くなる。第一間隔Ｗ１又は第二間隔Ｗ２は、取付状態において、第一内突部４２が第三側面７３に接し、第二内突部４６が第五側面７７に接する寸法に設定される。
【００５５】
（４）被覆部４０における第一脚部４１と第二脚部４５は、図４等に示す形状とは異なる形状としてもよい。例えば、第一脚部４１と第二脚部４５は、図７に示すような形状としてもよい。図７では、図４等との対応を明らかにするため、上記の各部と同一又は対応した部分には同じ符号を付している。第一脚部４１は、図７に示すように、第一内突部４２と、第一外突部４３を備える。第一脚部４１において、第一外突部４３は、第一内突部４２より第一脚部４１の先端側に形成される。換言すれば、第一内突部４２は、第一外突部４３より第一脚部４１の後端側に形成される。第二脚部４５は、図７に示すように、第二内突部４６と、第二外突部４７を備える。第二脚部４５において、第二外突部４７は、第二内突部４６より第二脚部４５の先端側に形成される。換言すれば、第二内突部４６は、第二外突部４７より第二脚部４５の後端側に形成される。図７と同様、第一外突部が先端側となる第一脚部は、図４に示す第一脚部４１を左右反転させた形状としてもよい（不図示）。第二外突部が先端側となる第二脚部は、図４に示す第二脚部４５を左右反転させた形状としてもよい（不図示）。
【００５６】
この他、第一脚部４１と第二脚部４５は、図８に示すような形状としてもよい。図８では、図４等との対応を明らかにするため、上記の各部と同一又は対応した部分には同じ符号を付している。第一脚部４１は、図８に示すように、第一押圧部５１を備える。第一押圧部５１において、幅方向の第二側の部分は、上述した第一内突部４２として機能する。第一押圧部５１において、幅方向の第一側の部分は、上述した第一外突部４３として機能する。第二脚部４５は、図８に示すように、第二押圧部５２を備える。第二押圧部５２において、幅方向の第一側の部分は、上述した第二内突部４６として機能する。第二押圧部５２において、幅方向の第二側の部分は、上述した第二外突部４７として機能する。第一押圧部５１と第二押圧部５２は、これらを除く被覆部４０とは異なる材質の合成樹脂製とされる。例えば、第一押圧部５１と第二押圧部５２は、ゴム又はエラストマーのような材質で形成される。但し、図８に示す被覆部４０も、上記同様、押出成形により、全体が同一の合成樹脂で形成されるようにしてもよい。
【符号の説明】
【００５７】
１０  引戸装置、  １１Ａ，１１Ｂ  引戸、  １２  上端部、  １３  下端部
２０  引戸枠、  ２１  左縦枠、  ２２  右縦枠、  ２３  鴨居
２４Ａ，２４Ｂ  スライド溝、  ３０  敷居、  ３１Ａ，３１Ｂ  スライド溝
３２Ａ，３２Ｂ  内面、  ３３Ａ，３３Ｂ  第一側面、  ３４Ａ，３４Ｂ  第二側面
３５Ａ，３５Ｂ  底面、  ４０  被覆部、  ４１  第一脚部、  ４２  第一内突部
４３  第一外突部、  ４５  第二脚部、  ４６  第二内突部、  ４７  第二外突部
５１  第一押圧部、  ５２  第二押圧部、  ６０  化粧シート
６１Ａ，６１Ｂ  シート部分、  ６２Ａ，６２Ｂ  第一調整部
６３Ａ，６３Ｂ  第二調整部、  ７０  基台部、  ７１Ａ，７１Ｂ  装着溝
７２  第一嵌合溝、  ７３  第三側面、  ７４  第四側面
７６  第二嵌合溝、  ７７  第五側面、  ７８  第六側面
８０Ａ，８０Ｂ  レール部材、Ｃ  中心線、Ｆ  床面
Ｌ１，Ｌ２，Ｌ３，Ｌ４，Ｌ５，Ｌ６  寸法、  Ｒ１，Ｒ２，Ｒ３，Ｒ３，Ｒ５  領域
Ｗ１  第一間隔、  Ｗ２  第二間隔、  Ｗ３  第三間隔、  Ｗ４  第四間隔
【図１】
0003192857.tif 000003
【図２】
0003192857.tif 000004
【図３】
0003192857.tif 000005
【図４】
0003192857.tif 000006
【図５】
0003192857.tif 000007
【図６】
0003192857.tif 000008
【図７】
0003192857.tif 000009
【図８】
0003192857.tif 000010